(57)【要約】      （修正有）【課題】容器本体内部を正面方向及び／及び側面方向から視認可能かつ上から容器本体の積み重ね可能な構造を有する包装用容器の蓋体の提供。【解決手段】包装用容器の蓋体１は、略矩形状の天面部１１と、この天面部の周縁から下方に拡開して連接される側壁部１２とを少なくとも有し、この側壁部は、複数の側面部１２１及び１２２と、隣接する側面部同士で構成される角部１２３とを有し、この隣接する側面部の少なくとも一方は、この天面部より低い位置から下端に渡って外方に張り出される張出部１２１ａを有し、この張出部は、この角部よりこの側面部の中央寄りに設けられていてもよい。【選択図】図１
2018167904.tif 000002
【特許請求の範囲】
【請求項１】
略矩形状の天面部と、当該天面部の周縁から下方に拡開して連接される側壁部とを少なくとも有し、
前記側壁部は、複数の側面部と、隣接する側面部同士で構成される角部とを有し、
前記隣接する側面部の少なくとも一方は、前記天面部より低い位置から下端に渡って外方に張り出される張出部を有し、
前記張出部は、前記角部より前記側面部の中央寄りに設けられている
ことを特徴とする包装用容器の蓋体。
【請求項２】
前記天面部が、略長方形状で、
前記側壁部が、一対の長尺側面部及び一対の短尺側面部を有し、
前記張出部が、前記長尺側面部の各々又は前記短尺側面部の各々の両端部分に設けられている
ことを特徴とする請求項１に記載の包装用容器の蓋体。
【請求項３】
前記天面部が、略正方形状で、
前記張出部が、対向する前記側面部の各々の点対称部分に設けられている
ことを特徴とする請求項１に記載の包装用容器の蓋体。
【請求項４】
前記張出部が、上部より下部の幅が広くかつ張出量が少ない形状である
ことを特徴とする請求項１乃至３のいずれか一項に記載の包装用容器の蓋体。
【請求項５】
請求項１乃至４のいずれか一項に記載の包装用容器の蓋体が装着される容器本体をさらに備え、
前記容器本体は、底部の裏面の四隅近傍から突出される略Ｌ字状の脚部を少なくとも有し、
前記蓋体は、前記天面部の角部分に前記容器本体と同形状の容器本体の脚部を嵌め、かつ前記張出部に当該脚部を当接させて当該容器本体を積載可能とする
ことを特徴とする包装用容器。
【発明の詳細な説明】
【技術分野】
【０００１】
本発明は、物流時や店頭販売時に複数個積み重ね可能な包装用容器の蓋体に関するものである。
【背景技術】
【０００２】
従来から、スーパーマーケット・コンビニエンスストア・デパート等の小売店では、所定の食品を包装用容器に収納して店頭販売していた。このとき、包装用容器には、消費者が容器本体に収納される食品を蓋体越しに見えやすくしたり、容器本体及び／又は蓋体が物流時や販売時の衝撃や圧迫により破損しにくくしたり、全体的に陳列時の配置スペースを節約したりする工夫が施されていた。すなわち、商品価値の向上を図るためには、食品のみならず包装用容器の改善が求められていた。
【０００３】
例えば、包装用容器を上下に複数個積み重ね可能にする場合、荷崩れ防止のため下側の蓋体の天面部分に上側の容器本体の脚部分が納まる構造が採用されてきた。詳細には、天面部分の四つ角部分が突出された凸部分より内寄りに上側の容器本体の脚部分が納まる構造や、天面部分の四つ角部分が陥没された凹部分に上側の容器本体の脚部分が納まる構造である。しかしながら、前者では下側の蓋体の天面部分に上側の容器本体の全重量が加わるため、天面部分がつぶれてしまう恐れがあった。また、前者では天面部分の四つ角部分が突出しており、後者では天面部分の四つ角部分が陥没しているため、消費者が容器本体に収納される食品を天面部分越しに見え難くなる恐れがあった。
【０００４】
そこで、蓋体の天面部分を支持する側壁部分で構成される四つのコーナー部分を跨って膨出し、かつ天面部分より高さの低い脚支持部分に上側の容器本体の脚部分が納まる構造が提案されている（例えば、特許文献１参照。）。すなわち、上側の容器本体の脚部分が下側の蓋体の天面部分を囲って脚支持部に納まるため、天面部分に容器本体の重量が加わらずつぶれる心配がなくなると共に、蓋体の天面部分の四つ角部分に凸部分又は凹部分がないため、消費者が容器本体に収納される食品を天面部分越しに見えやすくなるものである。
【先行技術文献】
【特許文献】
【０００５】
【特許文献１】特許第５８７６１０１号公報
【発明の概要】
【発明が解決しようとする課題】
【０００６】
しかしながら、上述した特許文献１の包装用容器の蓋体では、蓋体の側壁部分越しに容器本体内部が見え難い恐れがある。すなわち、蓋体の脚支持部分が側壁部分のコーナー部分を跨っているため、側壁部分の側面の両端から天面部分と脚支持部分との段差を含む脚支持部分の一部が突出しており、包装用容器の正面視又は側面視にて容器本体内部を視認する消費者にとっての障害となり得る。
【０００７】
近年では、容器本体の形状に応じた食品の盛り付けや店頭販売に応じた商品の陳列も様々であり、蓋体の天面部分越しのみならず、側壁部分越しから容器本体の内部を視認する場合もある。例えば、容器本体内部の中央部分のみならず端部分に至って食品が盛り付けられる場合や端部分から中央部分に向かって食品が並べられる場合、蓋体の天面部分越しからでは容器内部の端部分に盛られた食品が見え難いため、側壁部分の側面の少なくとも一端側には、容器本体の脚支持部分を形成する凸部分又は凹部分のない構造にすべきである。
【０００８】
さらに、蓋体の上に積み重なる容器本体にとって、水平方向への位置ずれや蓋体方向（下方向）への沈み込みが生じなければ、蓋体の脚支持部分がコーナー部分を跨っている必要性は低い。すなわち、蓋体の脚支持部分が、上側の包装用容器の加重により破損等せず載置状態を維持できれば、蓋体の側壁部分の側面のみに脚支持部分が設けられてもよく、屈曲部分など成形上の問題が生じやすい部分を含むべきでない。
【０００９】
そこで、本発明の目的は、容器本体内部を正面方向及び／又は側面方向から視認可能かつ上から容器本体の積み重ね可能な構造を有する包装用容器の蓋体を提供することにある。
【課題を解決するための手段】
【００１０】
上記課題を解決するために、本発明による包装用容器の蓋体は、略矩形状の天面部と、上記天面部の周縁から下方に拡開して連接される側壁部とを少なくとも有し、上記側壁部は、複数の側面部と、隣接する側面部同士で構成される角部とを有し、上記隣接する側面部の少なくとも一方は、上記天面部より低い位置から下端に渡って外方に張り出される張出部を有し、上記張出部は、上記角部より上記側面部の中央寄りに設けられていることを特徴としてもよい。
【００１１】
また、上記天面部が、略長方形状で、上記側壁部が、一対の長尺側面部及び一対の短尺側面部を有し、上記張出部が、上記長尺側面部の各々又は上記短尺側面部の各々の両端部分に設けられていてもよい。
【００１２】
また、上記天面部が、略正方形状で、上記張出部が、対向する上記側面部の各々の点対称部分に設けられていてもよい。
【００１３】
また、上記張出部が、上部より下部の幅が広くかつ張出量が少ない形状であってもよい。
【００１４】
また、本発明による包装用容器は、上記蓋体が装着される容器本体をさらに備え、上記容器本体は、底部の裏面の四隅近傍から突出される略Ｌ字状の脚部を少なくとも有し、上記蓋体は、上記天面部の角部分に上記容器本体と同形状の容器本体の脚部を嵌め、かつ上記張出部に上記脚部を当接させて上記容器本体を積載可能とすることを特徴としてもよい。
【発明の効果】
【００１５】
本発明による包装用容器の蓋体は、隣接する側面部の少なくとも一方、かつ角部より中央寄りに張出部を有することにより、平面視で天面部に対して四方に張出部が配されるため、容器本体の脚部分を張出部に当接させて蓋体の上に積み重ねることができるのみならず、側面部越しから容器本体内部を視認しやすくすることができる。すなわち、張出部は側壁部の角部を跨っていないため、側面部から容器本体内部の視認を妨げる障害物を少なくしつつ、別の容器本体を安定して積み重ねられる効果が期待できる。
【００１６】
また、略長方形状の天面部に連接される側壁部が有する長尺側面部の各々及び短尺側面部の各々の両端部分に張出部が設けられていることにより、隣接する他方の側面部越しから容器本体内部を視認しやすくすることができる。すなわち、長尺側面部（又は短尺側面部）に張出部が配されれば、短尺側面部（又は長尺側面部）には容器本体内部の視認を妨げる障害物が存在しないため、長手方向（又は短手方向）に沿って並べられた食品を見えやすくする効果が期待できる。
【００１７】
また、略正方形状の天面部に連接される側壁部が有する対向する側面部の各々の点対称部分に張出部が設けられることにより、いずれの側面部越しから容器本体内部を視認しやすくすることができると共に、蓋体の向きに限定せず容器本体に装着することができる。すなわち、張出部以外に各側面部には容器本体内部の視認を妨げる障害物が存在しないため、四方から食品を見えやすくする効果が期待できる。
【００１８】
また、張出部が、上部より下部の幅が広くかつ張出量が少ない形状であることにより、簡易な構造で所望の剛性を有する上側の容器本体を指示する土台を形成することができる。すなわち、張出部のうち、側面部から突出した上端部分に上側の容器本体の脚部分が当接し、容器本体からの加重を側壁部より急勾配の正面部分かつ幅広な下部が支持するため、張出部の上端部分が狭くても容器本体を安定して積み重ねられる効果が期待できる。
【００１９】
また、本発明による包装用容器は、上述した蓋体が装着される容器本体の底部裏面の四隅近傍から突出される略Ｌ字状の脚部が、別の蓋体の天面部角部分に嵌り、かつ張出部に当接することにより、水平方向への位置ずれを予防することができるため、安定して積み重ねられる効果が期待できる。
【図面の簡単な説明】
【００２０】
【図１】本発明の一実施形態における包装用容器の蓋体の一例を示す斜視図である。
【図２】上記蓋体の一例を示す平面図である。
【図３】上記蓋体の一例を示す底面図である。
【図４】上記蓋体の一例を示す正面図である。
【図５】上記蓋体の一例を示す右側面図である。
【図６】上記容器本体の一例を示す平面図である。
【図７】上記容器本体の一例を示す底面図である。
【図８】上記容器本体の一例を示す正面図である。
【図９】上記容器本体の一例を示す背面図である。
【図１０】上記容器本体の一例を示す右側面図である。
【図１１】上記容器本体に上記蓋体が装着された包装用容器が上下に積み重なった状態の一例を示す正面図である。
【発明を実施するための形態】
【００２１】
以下、図１〜図１１を参照しつつ、本発明の一実施形態における包装用容器の蓋体（以下、「本包装用容器の蓋体」ともいう。）の詳細を説明する。これらの図において、複数個存在する同一の部位については、一つの部位のみに符番しているものもある。また、図面上では確認できず見えない部位については、その部位の該当箇所や引き出し線を破線で示しているものもある。また、背面図が正面図と、左側面図が右側面図と、それぞれ同一又は対称に表れる場合は、背面図及び左側面図を省略するものとする。
なお、本包装用容器の向きは、消費者が本包装用容器と向き合う通常の向きを基準としてもよく、この通常の向きを本包装用容器の正面としてもよく、この正面に位置する消費者にとって近い方を手前側、遠い方を奥側、左手方向を左側、右手方向を右側、上方向を上側、下方向を下側と表現してもよい。
【００２２】
本包装用容器は、平面視で略長方形状かつ平坦状の透明な蓋体１と、この蓋体に開口部分を閉蓋されて食品（例えば、精肉）を収納する略長方形状の容器本体２とを備えていてもよい。本包装用容器の通常の向きでの形状は、平面視で短手方向側が消費者の正面となる向きでの形状でもよい。
なお、本包装用容器の形状は、スーパーマーケットやコンビニエンスストアの店頭での陳列事情や収納する食品の内容に応じて決定してもよく、例えば、平面視で略正方形状、略円形状、又は略楕円形状でもよく、限定はない。本包装用容器の閉蓋構造は、蓋体１が容器本体２に外勘合して閉蓋する構造だが、内嵌合して閉蓋する構造でもよい。
【００２３】
そして、図１に示すように、本包装用容器の蓋体１は、略矩形状の天面部１１と、この天面部の周縁から下方に拡開して連接される側壁部１２とを少なくとも有し、この側壁部は、複数の側面部１２１及び１２２と、隣接する側面部同士で構成される角部１２３とを有し、この隣接する側面部の少なくとも一方は、この天面部より低い位置から下端に渡って外方に張り出される張出部１２１ａを有し、この張出部は、この角部よりこの側面部の中央寄りに設けられていてもよい。
【００２４】
また、天面部１１が、略長方形状で、側壁部１２が、一対の長尺側面部１２１及び一対の短尺側面部１２２を有し、張出部１２１ａが、この長尺側面部の各々又はこの短尺側面部の各々の両端部分に設けられていてもよい。
【００２５】
また、天面部１１が、略正方形状で、張出部１２１ａが、対向する側面部１２１（又は１２２）の各々の点対称部分に設けられていてもよい。
【００２６】
また、張出部１２１ａが、上部より下部の幅が広くかつ張出量が少ない形状であってもよい。
【００２７】
また、本発明による包装用容器は、蓋体１が装着される容器本体をさらに備え、この容器本体は、底部の裏面の四隅近傍から突出される略Ｌ字状の脚部を少なくとも有し、この蓋体は、天面部１１の角部分にこの容器本体と同形状の容器本体の脚部を嵌め、かつ張出部１２１ａに脚部を当接させて容器本体を積載可能とすることを特徴としてもよい。
【００２８】
次に、図１〜図５を参照しつつ、蓋体１の一例の詳細な構造を説明する。
【００２９】
蓋体１は、平面視で略長方形状かつ平坦状の天面部１１と、この天面部の周縁から下方に拡開して連接される平坦状の蓋体側壁部１２と、この蓋体側壁部の下端の周縁から外方に延出している蓋体フランジ部１３とを有していてもよい。
なお、天面部１１は、各辺が直線状又は外側に緩やかに湾曲した形状でもよく、平面視で略正方形状、略円形状、又は略楕円形状でもよく、限定はない。蓋体側壁部１２は、各々の壁面部分が外側に緩やかに膨出していてもよい。蓋体フランジ部１３には、容器本体２と外嵌合する嵌合部分が設けられてもよい。
【００３０】
蓋体側壁部１２は、本包装用容器の通常の向きにおいて、長手方向に配される一対の長尺側面部１２１と、短手方向に配される一対の短尺側面部１２２と、隣接するこの長尺側面部と短尺側面部とで構成される四つの角部１２３とを有していてもよい。長尺側面部１２１は、天面部１１より低い位置から下端に渡って外方に張り出される張出部１２１ａをそれぞれ相対する位置に有していてもよい。この構造によれば、短尺側面部１２２に張出部１２１ａがないため、消費者が容器本体２の手前側からこの短尺側面部越しに内部を視認しやすくなってもよい。
なお、長尺側面部１２１及び短尺側面部１２２の形状及び寸法、並びにこの長尺側面部とこの短尺側面部との長さの比率に限定はない。角部１２３の角度は、略直角でもよく、所定の面取り半径にて屈曲していてもよい。
【００３１】
張出部１２１ａは、角部１２３より長尺側面部１２１の中央寄りかつ両端に設けられていてもよい。換言すると、張出部１２１ａは、角部１２３の頂上部分から屈曲している部分までの範囲内に差し掛かっておらず、かつこの角部と長尺側面部１２１との境界からこの長尺側面部の中央寄りかつ両端に設けられていてもよい。この構造によれば、張出部１２１ａは角部１２３以外の長尺側面部１２１に設けられるため、成形しやすい上、所望の剛性を得ることができる。
張出部１２１ａの形状は、上端より下端が幅広で、かつ上端側より下端側の膨出量が少ない形状でもよい。換言すると、張出部１２１ａは、長尺側面部１２１の正面視方向から見て略台形状で、この長尺側面部の側面視方向（短尺側面部１２２の正面視方向）から見て、この長尺側面部より張出部分の傾斜が急な形状でもよい。この構造によれば、蓋体１の上に積み重ねた別の容器本体の脚部が張出部１２１ａの上端部分に載りやすく、上側の包装用容器の沈み込みを防止してもよい。
なお、張出部１２１ａの形状に限定はなく、長尺側面部１２１の正面視方向から見て略長方形状でも上端部分が平坦状の円弧形状でもよい。張出部１２１ａの数は、長尺側面部１２１の両端のみならず、これらの中間部分に単数又は複数設けられてもよい。張出部１２１ａの張出部分の傾斜は、長尺側面部１２１より緩やか又は同等でもよい。天面部１１が略正方形状の場合、張出部１２１ａが風車状（同寸法の側面部１２１及び１２２の同じ側の端部）に配されてもよい。
【００３２】
次に、図６〜図１０を参照しつつ、容器本体２の一例の詳細な構造を説明する。
【００３３】
容器本体２は、食品が載置される平面視で略長方形状の載置部２１と、この底部の周縁を囲っている本体側壁部２２と、この載置部とこの本体側壁部との間に一体的に形成される脚部２３と、この本側壁部の上端から外方に延出している本体フランジ部２４とを有していてもよい。
なお、載置部２１は、平面視で略正方形状、略円形状、又は略楕円形状でもよく、限定はない。載置部２１と本体側壁部２２との間隔は、所定の幅の脚部２３が設けられる程度でよく、限定はない。本体側壁部２２は、下から上に向かって拡開している形状でもよい。本体フランジ部２４には、蓋体１と外嵌合方式で嵌合する嵌合部分が設けてあってもよい。
【００３４】
載置部２１は、本包装用容器の通常の向きにて手前側から奥側に向かって斜め上方に緩やかに湾曲して膨出している略長方形状の載置面部２１１と、この載置面部の周縁から下方に拡開して設けられている載置面支持部２１２とを有していてもよい。この構造によれば、載置面部２１１が載置面支持部２１２により所定の高さ及び角度で支持されることで、消費者に対して食品を見せやすくしてもよい。
なお、載置面部２１１は、平面視で略長方形状、略円形状、又は略楕円形状でもよく、手前側から奥側に向かって平坦な斜面状でもよい。載置面部２１１の表面には、載置される食品の位置ずれ（滑り）を予防したり載置場所や載置量の目印にしたりする棒状のリブ（符番しない）が設けられていてもよい。
【００３５】
脚部２３は、載置面支持部２１２と、この載置面支持部の下端から上方に拡開して設けられる本体側壁部２２とで形成されていてもよい。脚部２３の位置は、少なくとも容器本体２の四隅に配され、さらに四隅に配された脚部の各々の間に別の脚部が配されてもよい。脚部２３の形状は、容器本体２の四隅の角部分に一致する略Ｌ字状や、この容器本体の長手方向又は短手方向に平行な略直線状でもよい。脚部２３の端面形状は、本体フランジ部２４に直交する方向の切断面において略Ｖ字状でもよい。この構造によれば、脚部２３の内周の形状及び寸法と一致する蓋体１の上に、別の容器本体を安定的に積み重ねてもよい。
脚部２３の各々の間には、容器本体２の剛性を高める補強部２３１が設けられてもよい。補強部２３１は、載置面部２１１より低く、かつ載置面支持部２１２の所定の高さから外方に延出して本体側壁部２２と連接されてもよい。補強部２３１の端面形状は、本体フランジ部２４と平行な切断面において下向きに凹んだ矩形状や円弧状でもよい。この構造によれば、容器本体２に加わるねじれ等の外力に対し、補強部２３１が載置面部２１１や本体側壁部２２の破損を防止してもよい。
なお、脚部２３の形状及び寸法に限定はなく、例えば、この脚部を形成する略Ｌ字状の一方が他方より長くても双方同等の長さでもよい。補強部２３１の形状及び寸法に限定はない。
【００３６】
次に、図１１を参照しつつ、２つの本包装用容器が上下に積み重なった状態における蓋体及び容器本体の関係について説明する。
【００３７】
下側となる蓋体１の天面部１１の外周縁に上側となる容器本体２の底部２１の四隅に配される脚部２３の内周縁が着脱自在に嵌ってもよく、この脚部の底部分がこの蓋体の蓋体側壁部１２を構成する一対の長尺側面部１２１に設けられる張出部１２１ａの各々の上端部分に当接してもよい。すなわち、容器本体２は蓋体１の張出部１２１ａに載置され、この蓋体の天面部１１とこの容器本体の底部２１との間に所定の隙間が生じるため、この天面部はこの容器本体からの加重を受けずに形状変形しない状態でもよい。
【００３８】
さらに、脚部２３は略Ｌ字状であり、この脚部の内側の角部分と蓋体１の蓋体側壁部１２で構成される各々の角部１２３とが略一致して引っ掛かるため、この容器本体が水平方向に位置ずれし難い状態でもよい。このとき、容器本体２の脚部２３のうち、蓋体２の張出部１２１ａの上端部分に当接していない部分が宙に浮いていても（この部分が所定の部位で支持されていなくても）、この張出部の各々は一対の長尺側面部１２１の両端かつ蓋体側壁部１２で構成される各々の角部１２３より中央寄りに位置するため、容器本体２は安定した載置状態を維持してもよい。
【００３９】
このような蓋体１の構造は、複数の包装用容器の積み重ねを実現させるのみならず、容器本体２が積み重なっていない状態にて消費者の購買意欲の向上への寄与が期待できる。すなわち、蓋体１の天面部１１には容器本体２の脚部２３が載置するための凹凸部分がないばかりでなく、蓋体側壁部１２の短尺側面部１２２には長尺側面部１２１の張出部１２１ａなどこの脚部を支持する凸部分がないため、この天面部越し及び／又はこの短尺側面部越しから容器本体２の内部を消費者が視認しやすく購買欲求を高める効果が期待できる。
【００４０】
このように、本実施形態における包装用容器の蓋体１は、隣接する側面部１２１及び１２２の少なくとも一方、かつ角部１２３より中央寄りに張出部１２１ａを有することにより、平面視で天面部１１に対して四方にこの張出部が配されるため、容器本体２の脚部２３をこの張出部に当接させてこの蓋体の上に積み重ねることができるのみならず、この側面部越しからこの容器本体内部を視認しやすくすることができる。すなわち、張出部１２１ａは側壁部１２の角部１２３を跨っていないため、側面部１２１及び１２２から容器本体２内部の視認を妨げる障害物を少なくしつつ、別の容器本体を安定して積み重ねられる効果が期待できる。
【００４１】
また、略長方形状の天面部１１に連接される側壁部１２が有する長尺側面部１２１の各々及び短尺側面部１２２の各々の両端部分に張出部１２１ａが設けられていることにより、隣接する他方の側面部越しから容器本体２内部を視認しやすくすることができる。すなわち、長尺側面部１２１（又は短尺側面部１２２）に張出部１２１ａが配されれば、短尺側面部１２２（又は長尺側面部１２１）には容器本体２内部の視認を妨げる障害物が存在しないため、長手方向（又は短手方向）に沿って並べられた食品を見えやすくする効果が期待できる。
【００４２】
また、略正方形状の天面部１１に連接される側壁部１２が有する対向する側面部１２１及び１２２の各々の点対称部分に張出部１２１ａが設けられることにより、いずれの側面部越しから容器本体２内部を視認しやすくすることができると共に、蓋体１の向きに限定せずこの容器本体に装着することができる。すなわち、張出部１２１ａ以外に各側面部には容器本体２内部の視認を妨げる障害物が存在しないため、四方から食品を見えやすくする効果が期待できる。
【００４３】
また、張出部１２１ａが、上部より下部の幅が広くかつ張出量が少ない形状であることにより、簡易な構造で所望の剛性を有する上側の容器本体２を指示する土台を形成することができる。すなわち、張出部１２１ａのうち、側面部１２１及び／又は１２２から突出した上端部分に上側の容器本体２の脚部２３が当接し、この容器本体からの加重をこの側壁部より急勾配の正面部分かつ幅広な下部が支持するため、この張出部の上端部分が狭くても容器本体を安定して積み重ねられる効果が期待できる。
【００４４】
本実施形態における包装用容器は、蓋体１が装着される容器本体２の載置部２１の四隅近傍から突出される略Ｌ字状の脚部２３が、別の蓋体の天面部１１角部分に嵌り、かつ張出部１２１ａに当接することにより、水平方向への位置ずれを予防することができるため、安定して積み重ねられる効果が期待できる。
【００４５】
なお、本実施形態による蓋体１や容器本体２は、例えば真空成形、圧空成形、真空圧空成形、両面真空成形、熱板成形等のシート成形で、合成樹脂シートを熱成形することにより形成されてもよい。合成樹脂シートとしては、例えば、ポリエチレンテレフタレート等のポリエステル系樹脂、ポリスチレン等のスチレン系樹脂、ポリプロピレン等のオレフィン系樹脂で、単層や多層のシートを使用してもよい。樹脂としては、例えば、発泡樹脂を使用すれば、軽量かつ断熱性があり好ましい。さらに、シートの表面または裏面を合成樹脂フィルムで覆ってもよく、表面を覆った場合は印刷を施してもよい。合成樹脂シートの厚みは特に制限はないが、０．１５〜０．５ｍｍであればよく、好ましくは０．１８〜０．４５ｍｍ、より好ましくは０．２〜０．３５ｍｍである。
【符号の説明】
【００４６】
１            蓋体
１１          天面部
１２          蓋体側壁部
１２１        長尺側面部
１２１ａ      張出部
１２２        短尺側面部
１２３        角部
１３          蓋体フランジ部
２            容器本体
２１          載置部
２１１        載置面部
２１２        載置面支持部
２２          本体側壁部
２３          脚部
２３１        補強部
２４          本体フランジ部
【図１】
2018167904.tif 000003
【図２】
2018167904.tif 000004
【図３】
2018167904.tif 000005
【図４】
2018167904.tif 000006
【図５】
2018167904.tif 000007
【図６】
2018167904.tif 000008
【図７】
2018167904.tif 000009
【図８】
2018167904.tif 000010
【図９】
2018167904.tif 000011
【図１０】
2018167904.tif 000012
【図１１】
2018167904.tif 000013